(57)【要約】【課題】手差し給紙の操作性を損なうことなく、自動給紙動作途中に手差し給紙を行いジャムを発生するおそれを解消する。【解決手段】手差しトレイ３０を、格納状態と使用状態とに切り換え可能に備える。そして、格納状態としたとき、自動給紙を選択し、シャッタを閉位置として、手差し給紙路１８を通しての記録媒体搬送路１６への記録媒体の挿入をそのシャッタで阻止する。一方、使用状態としたとき、手差し給紙を選択し、シャッタを開位置として、手差し給紙路を通しての記録媒体搬送路への記録媒体１２の挿入を可能とする。自動給紙動作途中であるとき、手差しトレイを格納状態から使用状態とすると、自動給紙動作を緊急停止し、または現在自動給紙動作中である旨の警告を発する。手差しトレイを格納状態から使用状態として後は、自動給紙を行えないようにする。【選択図】      図２
2005320147.tif 000002
【特許請求の範囲】
【請求項１】
記録媒体収納部にある記録媒体を、記録媒体搬送路を通して自動的に画像記録部へと送り込む自動給紙と、手で挿入した記録媒体を、手差し給紙路を通して前記記録媒体搬送路に入れて前記画像記録部へと送り込む手差し給紙とを行うことができる画像記録装置において、
手差しトレイを格納状態と使用状態とに切り換え可能に備え、格納状態としたとき前記自動給紙を選択するとともに、前記手差し給紙路を通しての前記記録媒体搬送路への記録媒体の挿入を、格納状態とした前記手差しトレイで阻止する一方、使用状態としたとき前記手差し給紙を選択して前記手差し給紙路を通しての前記記録媒体搬送路への記録媒体の挿入を可能とすることを特徴とする、画像記録装置。
【請求項２】
記録媒体収納部にある記録媒体を、記録媒体搬送路を通して自動的に画像記録部へと送り込む自動給紙と、手で挿入した記録媒体を、手差し給紙路を通して前記記録媒体搬送路に入れて前記画像記録部へと送り込む手差し給紙とを行うことができる画像記録装置において、
シャッタを開閉自在に備え、自動給紙時に閉位置として前記手差し給紙路を通しての前記記録媒体搬送路への記録媒体の挿入を、閉位置とした前記シャッタで阻止する一方、手差し給紙時に前記シャッタを開位置として前記手差し給紙路を通しての前記記録媒体搬送路への記録媒体の挿入を可能とすることを特徴とする、画像記録装置。
【請求項３】
手差しトレイを格納状態と使用状態とに切り換え可能に備え、格納状態としたとき前記自動給紙を選択し、前記シャッタを閉位置とし、使用状態としたとき前記手差し給紙を選択し、前記シャッタを開位置とすることを特徴とする、請求項２に記載の画像記録装置。
【請求項４】
自動給紙動作途中であるとき、前記手差しトレイを格納状態から使用状態とすると、自動給紙動作を緊急停止することを特徴とする、請求項１または３に記載の画像記録装置。
【請求項５】
自動給紙動作途中であるとき、前記手差しトレイを格納状態から使用状態とすると、現在自動給紙動作中である旨の警告を発することを特徴とする、請求項１または３に記載の画像記録装置。
【請求項６】
前記手差しトレイを格納状態から使用状態として後は、前記自動給紙を行えないようにすることを特徴とする、請求項１または３に記載の画像記録装置。
【請求項７】
前記手差しトレイを格納状態または使用状態に切り換えることによりオンオフする検知スイッチを備えることを特徴とする、請求項１、３〜６のいずれか１に記載の画像記録装置。
【請求項８】
記録媒体収納部にある記録媒体を、記録媒体搬送路を通して自動的に画像記録部へと送り込む自動給紙と、手で挿入した記録媒体を、手差し給紙路を通して前記記録媒体搬送路に入れて前記画像記録部へと送り込む手差し給紙とを行うことができる画像記録装置において、
前記自動給紙のときの記録媒体搬送路に、記録媒体を案内する開閉ガイド部材を、前記記録媒体搬送路を拡げる第１位置と、狭める第２位置とに回動自在に備え、記録媒体の先端が通過するときは前記開閉ガイド部材を第２位置とし、先端が通過して後は前記第１位置とするとともに、
前記開閉ガイド部材を第１位置とするとき、前記手差し給紙路を通しての前記記録媒体搬送路への記録媒体の挿入を、第１位置とした前記開閉ガイド部材で阻止することを特徴とする、画像記録装置。
【発明の詳細な説明】
【技術分野】
【０００１】
この発明は、複写機、プリンタ、ファクシミリまたはそれらの複合機など、シート・ＯＨＰフィルム等の記録媒体に画像を記録する画像記録装置に関する。
【背景技術】
【０００２】
従来、例えばインクジェットプリンタでは、プリント時、給紙カセット等の記録媒体収納部にある記録媒体を、記録媒体搬送路を通して自動的に画像記録部へと送り込み、記録媒体を搬送しながらその画像記録部で記録媒体に記録を行い、画像記録済みの記録媒体をプリンタ本体外に排出していた。
【０００３】
このようなインクジェットプリンタの中には、上述した自動給紙によるプリントとともに、厚い用紙や光沢紙やＯＨＰフィルムといった特殊な記録媒体を、手で一枚ずつ挿入して、例えばストレートな手差し給紙路を通して前記記録媒体搬送路に入れ、前記画像記録部へと送り込む手差し給紙によるプリントも可能とするものがある。
【０００４】
ところが、この種のインクジェットプリンタなどでは、自動給紙動作途中に、誤って手差し給紙を行い、記録媒体搬送路中に自動給紙および手差し給紙の記録媒体を重ねて投入し、ジャムを引き起こすことがあった。そこで、従来の画像記録装置の中には、手差し給紙口にシャッタ部材を設け、手差し給紙を行うときには、そのシャッタ部材を手で開くようにしたものなどがあった。
【０００５】
【特許文献１】特開平７−８１８０７号公報
【特許文献２】特開２００１−１９１６０７号公報
【発明の開示】
【発明が解決しようとする課題】
【０００６】
しかしながら、このような従来の画像記録装置にあっては、手差し給紙を行うとき、シャッタ部材を手で開かなければならず、また狭い手差し給紙口を通して記録媒体を挿入しなければならず、また記録媒体を案内する手差しトレイのようなものもないことなどから、手差し給紙の操作性が悪い問題があった。
【０００７】
そこで、この発明の目的は、手差し給紙の操作性を損なうことなく、自動給紙動作途中に誤って手差し給紙を行うことによりジャムを発生するおそれを解消することにある。
【課題を解決するための手段】
【０００８】
かかる目的を達成すべく、請求項１に記載の発明は、自動給紙と手差し給紙とを行うことができる画像記録装置において、
手差しトレイを格納状態と使用状態とに切り換え可能に備え、格納状態としたとき前記自動給紙を選択するとともに、前記手差し給紙路を通しての前記記録媒体搬送路への記録媒体の挿入を、格納状態とした前記手差しトレイで阻止する一方、使用状態としたとき前記手差し給紙を選択して前記手差し給紙路を通しての前記記録媒体搬送路への記録媒体の挿入を可能とする、ことを特徴とする。
【０００９】
ここで、自動給紙では、給紙カセット・給紙トレイ・大量給紙装置などの記録媒体収納部にある、用紙などの記録媒体を、記録媒体搬送路を通して自動的に、インクジェットエンジン部等の画像記録部へと送り込む。また、手差し給紙では、例えば厚い用紙・光沢紙・ＯＨＰフィルムなどの記録媒体を、手で挿入して手差し給紙路を通して記録媒体搬送路に入れ、画像記録部へと送り込む。
【００１０】
請求項２に記載の発明は、自動給紙と手差し給紙とを行うことができる画像記録装置において、
シャッタを開閉自在に備え、自動給紙時に閉位置として前記手差し給紙路を通しての前記記録媒体搬送路への記録媒体の挿入を、閉位置とした前記シャッタで阻止する一方、手差し給紙時に前記シャッタを開位置として前記手差し給紙路を通しての前記記録媒体搬送路への記録媒体の挿入を可能とする、ことを特徴とする。
【００１１】
請求項３に記載の発明は、請求項２に記載の画像記録装置において、手差しトレイを格納状態と使用状態とに切り換え可能に備え、格納状態としたとき前記自動給紙を選択し、前記シャッタを閉位置とし、使用状態としたとき前記手差し給紙を選択し、前記シャッタを開位置とする、ことを特徴とする。
【００１２】
請求項４に記載の発明は、請求項１または３に記載の画像記録装置において、自動給紙動作途中であるとき、前記手差しトレイを格納状態から使用状態とすると、自動給紙動作を緊急停止する、ことを特徴とする。
【００１３】
請求項５に記載の発明は、請求項１または３に記載の画像記録装置において、自動給紙動作途中であるとき、前記手差しトレイを格納状態から使用状態とすると、現在自動給紙動作中である旨の警告を発する、ことを特徴とする。
【００１４】
請求項６に記載の発明は、請求項１または３に記載の画像記録装置において、前記手差しトレイを格納状態から使用状態として後は、前記自動給紙を行えないようにする、ことを特徴とする。
【００１５】
請求項７に記載の発明は、請求項１、３〜６のいずれか１に記載の画像記録装置において、前記手差しトレイを格納状態または使用状態に切り換えることによりオンオフする検知スイッチを備える、ことを特徴とする。
【００１６】
請求項８に記載の発明は、自動給紙と手差し給紙とを行うことができる画像記録装置において、
前記自動給紙のときの記録媒体搬送路に、記録媒体を案内する開閉ガイド部材を、前記記録媒体搬送路を拡げる第１位置と、狭める第２位置とに回動自在に備え、記録媒体の先端が通過するときは前記開閉ガイド部材を第２位置とし、先端が通過して後は前記第１位置とするとともに、
前記開閉ガイド部材を第１位置とするとき、前記手差し給紙路を通しての前記記録媒体搬送路への記録媒体の挿入を、第１位置とした前記開閉ガイド部材で阻止する、ことを特徴とする。
【発明の効果】
【００１７】
請求項１に記載の発明によれば、手差しトレイを格納状態としたとき、自動給紙を選択するとともに、手差し給紙路を通しての記録媒体搬送路への記録媒体の挿入を、格納状態とした手差しトレイで阻止するので、手差し給紙を行うときは、手差しトレイを使用状態に変えなければならず、一操作増えることで、自動給紙動作途中に、誤って手差し給紙を行ってジャムを引き起こすおそれをなくすことができる。一方、手差しトレイを使用状態としたときは、手差し給紙を選択して手差し給紙路を通しての記録媒体搬送路への記録媒体の挿入を可能とするので、手差し給紙を行うときに、シャッタ部材を手で開けたりする必要がなく、また手差し給紙する記録媒体を手差しトレイで案内するようにし、手差し給紙の操作性を向上することができる。
【００１８】
請求項２に記載の発明によれば、自動給紙時にシャッタを閉位置として手差し給紙路を通しての記録媒体搬送路への記録媒体の挿入を、閉位置としたシャッタで阻止するので、自動給紙動作途中に、誤って手差し給紙を行ってジャムを引き起こすおそれをなくすことができる。一方、手差し給紙時にシャッタを開位置として手差し給紙路を通しての記録媒体搬送路への記録媒体の挿入を可能とするので、シャッタを手で開けたりする必要がなく、また手差し給紙する記録媒体を手差しトレイで案内するようにし、手差し給紙の操作性を向上することができる。
【００１９】
請求項３に記載の発明によれば、手差しトレイを格納状態としたとき自動給紙を選択してシャッタを閉位置とし、使用状態としたとき手差し給紙を選択してシャッタを開位置とするので、自動給紙と手差し給紙の変更を手差しトレイの切り換え操作に連動することにより手差し給紙時の操作性を向上することができる。
【００２０】
請求項４に記載の発明によれば、自動給紙動作途中であるとき、手差しトレイを格納状態から使用状態とすると、自動給紙動作を緊急停止するので、自動給紙動作途中に、誤って手差し給紙を行い、記録媒体搬送路中に自動給紙と手差し給紙の記録媒体が重複して入り込むことによりジャムを発生するおそれをなくすことができる。
【００２１】
請求項５に記載の発明によれば、自動給紙動作途中であるとき、手差しトレイを格納状態から使用状態とすると、現在自動給紙動作中である旨の警告を発するので、その警告を受けてユーザーは、ジャムを発生するおそれのあることを認識し、自動給紙動作を終了したことを確認してから手差し給紙を行うようにしてトラブルの発生を未然になくすことができる。
【００２２】
請求項６に記載の発明によれば、手差しトレイを格納状態から使用状態として後は、自動給紙を行えないようにするので、手差し給紙中に自動給紙を行うおそれをなくし、記録媒体搬送路に手差し給紙用の記録媒体と自動給紙用の記録媒体の双方が入り込んでジャムを発生するおそれを一層解消することができる。
【００２３】
請求項７に記載の発明によれば、手差しトレイを格納状態または使用状態に切り換えることによりオンオフする検知スイッチを備えるので、その検知スイッチで手差しトレイが格納状態にあるか使用状態にあるかを簡単に判別し、自動給紙と手差し給紙の別をすばやく自動的に検知して必要な制御を行うことができる。
【００２４】
請求項８に記載の発明によれば、自動給紙のときの記録媒体搬送路に、記録媒体を案内する開閉ガイド部材を、記録媒体搬送路を拡げる第１位置と、狭める第２位置とに回動自在に備え、記録媒体の先端が通過するときは開閉ガイド部材を第２位置とするので、記録媒体がカールしているときにも、無理なく搬送することができる。また、先端が通過して後は開閉ガイド部材を第１位置とするので、記録媒体搬送路を拡げたところで、記録媒体にループを形成することを可能とし、搬送性能を向上して、種々の記録媒体をジャムすることなく搬送することができる。
【００２５】
また、自動給紙時に開閉ガイド部材を第１位置として、手差し給紙路を通しての記録媒体搬送路への記録媒体の挿入を、第１位置とした開閉ガイド部材で阻止するので、自動給紙動作途中に、誤って手差し給紙を行ってジャムを引き起こすおそれをなくすことができる。一方、手差し給紙時に開閉ガイド部材を第１位置として、手差し給紙路を通しての記録媒体搬送路への記録媒体の挿入を可能とするので、給紙動作に連動して開閉ガイド部材を回動し、手で開けたりする必要がなく、また手差し給紙する記録媒体を手差しトレイで案内するようにし、手差し給紙の操作性を向上することができる。
【発明を実施するための最良の形態】
【００２６】
以下、図面を参照しつつ、この発明の実施の最良形態につき説明する。
図１は、この発明の一例であるインクジェット型画像記録装置であり、その内部機構の全体概略構成を示す。
【００２７】
図中符号１００は、画像記録装置本体である。装置本体１００は、頂面に凹部を設けて排紙スタック部２００を有し、その排紙スタック部２００を挟んで、原稿画像を読み取るスキャナ部３００を乗せる。スキャナ部３００上には、原稿押え板４００を上下に開閉自在に取り付けている。
【００２８】
まず、画像記録装置本体１００には、内部ほぼ中央に、画像記録部としてインクジェットエンジン部１０を備え、下部に、用紙等の記録媒体１２を積載して収納する記録媒体収納部１４を設ける。また、装置本体１００内の一側で、記録媒体収納部１４の先端側から少し上方にのびて後、内向きにカーブして水平となり、インクジェットエンジン部１０内を通過して装置本体１００内の他側までのび、他側で上向きにカーブし、Ｕターンして排紙スタック部２００に達する記録媒体搬送路１６を形成する。
【００２９】
さらに、装置本体１００の一側からは、ストレートにのび、インクジェットエンジン部１０の手前で記録媒体搬送路１６に合流する手差し給紙路１８を水平に形成する。
【００３０】
記録媒体搬送路１６には、インクジェットエンジン部１０までの給紙路に、給紙コロ２０とそれに押し当てる分離部材２１、媒体ガイド２２、一対のレジストローラ２３、ガイド部材２４と開閉ガイド部材２５などを備える。また、インクジェットエンジン部１０内を通過して後の排紙路には、複数対の搬送ローラ２６、排紙ローラ２７などを備える。
【００３１】
他方、手差し給紙路１８には、装置本体１００の入口に位置して手差しトレイ３０、記録媒体搬送路１６との合流位置に手差し用搬送ガイド板３１を備える。
【００３２】
ところで、インクジェットエンジン部１０内には、記録媒体搬送路１６の下側にエンドレスの搬送ベルト４０を駆動ローラ４１と従動ローラ４２とに掛け回し、その片側を記録媒体搬送路１６に沿って張り渡して設け、記録媒体搬送路１６に沿って張り渡した部分の裏側に裏当て板４３を裏当てする。そして、駆動ローラ４１と同軸の駆動プーリ４４と副走査モータ４５のモータプーリ４６間には、動力伝達ベルト４７を掛け回す。副走査モータ４５は、独自のＤＣモータで独立した回転駆動を行い、動力伝達ベルト４７を介して駆動を伝達して搬送ベルト４０を反時計まわりに走行する。
【００３３】
記録媒体搬送路１４の上側には、記録媒体搬送路１６を挟んで搬送ベルト４０と対向してインクジェットヘッド４８を配置する。また、搬送ベルト４０を挟んで駆動ローラ４１に押えローラ４９を押し当て、搬送ベルト４０との間でニップを形成する。他方、インクジェットエンジン部１０の出口付近には、記録媒体搬送路１６に一対の排出ローラ５０を設置する。
【００３４】
なお、装置本体１００内には、図１に示すように、この他にも例えば、排紙路の下方にインクタンク部５２を設け、各色のインクタンクを並べて備え、上述したインクジェットヘッド４８にインクを供給する。また、媒体ガイド２２の下方の空間には、独自のＨＢステッピングモータ５３を配置し、レジストローラ２３を独立して回転駆動する。
【００３５】
次に、スキャナ部３００は、高さの低い筐体内に、図示省略した光源と、複数のミラー６０と、レンズ群６１と、ＣＣＤ等の光−電気変換素子６２などを備え、頂面全体にコンタクトガラス６３をはめ付けて構成する。そして、コンタクトガラス６３上にセットした原稿を原稿押え板４００で上から押さえ、スキャナ部３００を作動することにより、光源やミラーを搭載する不図示の走行体を走行し、光源からの光を原稿面で反射してミラー６０に当て、複数のミラー６０で反射してレンズ群６１で結像し、光−電気変換素子６２に入れて光信号を電気信号に変換し、原稿内容を読み取る。
【００３６】
図２および図３には、図１に示すインクジェット型画像記録装置の給紙路まわりを拡大して示す。図２は、上述した開閉ガイド部材２５が第２位置にあるとき、図３は、第１位置にあるときである。
【００３７】
図示するように、開閉ガイド部材２５は、三角形状をなし、下端軸７０を支点に、記録媒体搬送路１６を拡げる第１位置と、狭める第２位置とに回動自在に備え、常時は付勢ばね７１で付勢することにより不図示のストッパに当てて図３に示すように第１位置に保持する。第１位置とすると、手差し給紙路１８に入り込む。
【００３８】
開閉ガイド部材２５には、下端軸７０位置で連結して開閉ガイド部材２５と一体にアーム部材７２を設ける。アーム部材７２には、先端にレバー部材７３の一端を回動自在に連結する。レバー部材７３は、支軸７４を中心に回動自在とし、他端をソレノイド７５のプランジャ７６に連結する。そして、ソレノイド７５を作動すると、プランジャ７６を吸引してレバー部材７３を支軸７４を中心として図２に示す矢示方向に回動し、アーム部材７２を持ち上げて開閉ガイド部材２５を、付勢ばね７１に抗して図２に示す第２位置とする。
【００３９】
さて、同じく図２および図３から判るとおり、上述した手差しトレイ３０には、基端の支軸３３を中心として回動自在な本体３４と、その本体３４に対して出し入れ自在に設ける延長トレイ３５と、本体３４の表側に設ける記録媒体の両側縁ガイド３６と、同様に本体３４の表側に設ける検知スイッチ３７と、本体３４の裏側先端に設ける取っ手３８などを設ける。
【００４０】
そして、手差しトレイ３０は、支軸３３を中心として実線で示す格納状態と、鎖線で示す使用状態とに回動自在とし、格納状態としたときには検知スイッチ３７を装置本体１００の筐体８０に押し当ててオンとする。
【００４１】
ところで、図２および図３では、図示省略するが、手差し給紙路１８には、図４に示すようにシャッタ８２を備える。シャッタ８２は、支軸８３を中心として回動可能に設け、一端にはシャッタソレノイド８４のプランジャ８５を掛け止める。そして、手差しトレイ３０を使用状態とすると、検知スイッチ３７がオンからオフに切り換わることから手差し給紙を選択し、シャッタソレノイド８４をオンしてプランジャ８５を引き込み、シャッタ８２を重力に抗して回動して開位置とし、手差し給紙路１８を通しての記録媒体搬送路１６への記録媒体の挿入を可能とする。
【００４２】
反対に、手差しトレイ３０を格納状態とすると、検知スイッチ３７がオフからオンに切り換わることから自動給紙を選択し、シャッタソレノイド８４をオフしてシャッタ８２を重力に基づき回動し、プランジャ８５を引き出しながら閉位置とし、手差し給紙路１８を通しての記録媒体搬送路１６への記録媒体の挿入をシャッタ８２で阻止する。
【００４３】
いま、画像記録装置本体１００の電源がオフのときは、ソレノイド７５は不作動状態にあり、開閉ガイド部材２５は付勢ばね７１の不勢力により、図３に示す第１位置にある。また、シャッタソレノイド８４も不作動状態にあり、シャッタ８２は重力により、図４に示す閉位置にある。手差しトレイ３０は、邪魔にならないように、好ましくは格納状態とする。この状態から装置本体１００の電源をオンすると、スイッチ３７がオンとなっていることから、ソレノイド７５を作動し、開閉ガイド部材２５を、図２に示す第２位置とする。
【００４４】
そして、コピーをとるときは、原稿押え板４００を開いてコンタクトガラス６３上に原稿をセットし、原稿押え板４００を閉めて原稿を押さえる。その後、不図示のコピースイッチを押し、スキャナ部３００を作動して上述したごとく原稿面を走査し、原稿内容を読み取る。
【００４５】
一方、適宜のタイミングで給紙コロ２０を回転し、記録媒体収納部１４から記録媒体１２を上から順に繰り出し、分離部材２１で一枚ずつ分離して記録媒体搬送路１６に入れ、媒体ガイド２２で案内して先端を一対のレジストローラ２３間に突き当てて止める。その後、タイミングをとって一対のレジストローラ２３を回転し、ガイド部材２４と開閉ガイド部材２５間に入れてそれらで案内し、搬送ベルト４０と押えローラ４９間のニップへと導く。
【００４６】
ニップで記録媒体１２の先端を噛み込んだところで、不図示の検知手段で検知してソレノイド７５の作動を停止し、付勢ばね７１の不勢力により開閉ガイド部材２５を、図３に示す第１位置とする。それから、副走査モータ４５で走行する搬送ベルト４０により、一対のレジストローラ２３より小さな送り量で記録媒体１２を搬送する。
【００４７】
すなわち、ガイド部材２４と開閉ガイド部材２５間を記録媒体１２の先端が通過するときは、開閉ガイド部材２５を第２位置とするので、記録媒体がカールしているときにも、それを無理なく搬送することができる。また、先端が通過して後は、開閉ガイド部材を第１位置とし、搬送ベルト４０とレジストローラ２３との送り量の差から記録媒体１２にループを形成するようにして搬送性能を向上し、種類の異なる記録媒体１２をジャムすることなく搬送することができる。
【００４８】
搬送ベルト４０と押えローラ４９間のニップへと導いた記録媒体１２は、搬送ベルト４０で搬送してインクジェットエンジン部１０内へと送り込み、搬送ベルト４０で搬送しながら、上述したスキャナ部３００での読み取り内容に応じてインクジェットヘッド４８により記録を行い、一対の排出ローラ５０でインクジェットエンジン部１０外に排出する。そして、排紙路を通して複数対の搬送ローラ２６で搬送し、排紙ローラ２７で排紙スタック部２００上に排出する。
【００４９】
その後、適宜のタイミングでソレノイド７５を作動し、レバー部材７３を回動してアーム部材７２を持ち上げ、開閉ガイド部材２５を、再び図２に示す第２位置とする。なお、開閉ガイド部材２５とガイド部材２４間を記録媒体１２が通過する前に開閉ガイド部材２５を第２位置とするから、開閉ガイド部材２５とガイド部材２４間を通過する記録媒体１２の腰により開閉ガイド部材２５の閉動作に負荷が加わることがなく、ソレノイド７５を吸引力の小さなものとすることができる。
【００５０】
それから、給紙コロ２０を回転して記録媒体収納部１４から次の記録媒体１２を繰り出し、記録媒体搬送路１６に入れて媒体ガイド２２で案内し、再び先端を一対のレジストローラ２３間に突き当て、タイミングをとって一対のレジストローラ２３を回転し、ガイド部材２４と開閉ガイド部材２５間に入れてそれらで案内し、同様に搬送ベルト４０と押えローラ４９間のニップへと導き、ソレノイド７５の作動を停止して開閉ガイド部材２５を、図３に示す第１位置に戻す。
【００５１】
そして、先端をニップ間に噛み込んだ記録媒体１２を搬送ベルト４０により続けて搬送し、インクジェットエンジン部１０内へと送り込み、インクジェットヘッド４８により記録を行い、一対の排出ローラ５０でインクジェットエンジン部１０外に排出して、排紙路を通して複数対の搬送ローラ２６で搬送し、排紙ローラ２７で排紙スタック部２００上に排出する。以下同様に、３枚目以降のコピーを行う。
【００５２】
手差しの記録媒体にコピーをとるときは、同じく原稿押え板４００を開いてコンタクトガラス６３上に原稿をセットし、原稿押え板４００を閉めて原稿を押さえる。その後、取っ手３８を持って手差しトレイ３０を支軸３３を中心として開き、使用状態とするとともに、検知スイッチ３７が筐体８０から離れてオフすることから、ユーザーが手差しトレイ３０を使用したいことを検知し、手差し給紙の準備を始める。
【００５３】
そして、まずはじめにソレノイド７５を作動して開閉ガイド部材２５を第２位置に閉じ、次にシャッタソレノイド８４をオンしてプランジャ８５を吸引し、シャッタ８２を開位置とする。その後、本体３４から延長トレイ３５を引き出して図５に示す状態とし、手差しトレイ３０に沿わせて両側縁を両側縁ガイド３６で案内して記録媒体を挿入し、手差し給紙路１８を通して先端を搬送ベルト４０と押えローラ４９間のニップまで押し込む。
【００５４】
それから、不図示のコピースイッチを押すことにより、スキャナ部３００で原稿内容を読み取り、搬送ベルト４０で記録媒体を搬送しながら、読み取り内容に応じてインクジェットヘッド４８により記録を行って後、排紙路を通して複数対の搬送ローラ２６で搬送し、排紙ローラ２７で排紙スタック部２００上に排出する。
【００５５】
さて、この図示例のように、記録媒体収納部１４にある記録媒体１２を、記録媒体搬送路１６を通して自動的にインクジェットエンジン部（画像記録部）１０へと送り込む自動給紙と、手で挿入した記録媒体１２を、手差し給紙路１８を通して記録媒体搬送路１６に入れてインクジェットエンジン部１０へと送り込む手差し給紙とを行うことができる画像記録装置にあっては、自動給紙動作途中に手差し給紙動作を行ったり、逆に手差し給紙動作途中に自動給紙動作を行ったりすると、記録媒体搬送路１６で記録媒体１２が重複してジャムを発生する問題があった。
【００５６】
そこで、図示例では、シャッタ８２を開閉自在に備え、手差しトレイ３０を格納状態として自動給紙を選択したときは、シャッタ８２を閉位置として手差し給紙路１８をシャッタ８２で塞ぎ、手差し給紙路１８を通しての記録媒体搬送路１６への記録媒体１２の挿入を阻止する構成としていた。これにより、自動給紙動作途中に、誤って手差し給紙を行ってジャムを引き起こすおそれをなくすことができる。
【００５７】
一方、手差し給紙時は、シャッタ８２を開位置として手差し給紙路１８を通しての記録媒体搬送路１６への記録媒体１２の挿入を可能とするので、シャッタ８２を手で開けたりする必要がなく、また手差し給紙する記録媒体を手差しトレイで案内するようにし、手差し給紙の操作性を向上することができる。
【００５８】
図示例では、手差しトレイ３０を格納状態としたとき自動給紙を選択してシャッタ８２を閉位置とし、使用状態としたとき手差し給紙を選択してシャッタ８２を開位置とするので、自動給紙と手差し給紙の変更を手差しトレイ３０の切り換え操作に連動することにより手差し給紙時の操作性を向上することができる。
【００５９】
さらに、図示例では、自動給紙動作途中であるとき、手差しトレイ３０を格納状態から使用状態とすると、自動給紙動作を緊急停止する。これにより、自動給紙動作途中に、誤って手差し給紙を行い、記録媒体搬送路１６中に自動給紙と手差し給紙の記録媒体１２が重複して入り込むことによりジャムを発生するおそれをなくすことができる。
【００６０】
または、自動給紙動作途中であるとき、手差しトレイ３０を格納状態から使用状態とすると、現在自動給紙動作中である旨の警告を発する。これにより、その警告を受けてユーザーは、ジャムを発生するおそれのあることを認識し、自動給紙動作を終了したことを確認してから手差し給紙を行うようにしてトラブルの発生を未然になくすことができる。
【００６１】
そして、手差しトレイ３０を格納状態から使用状態として後は、自動給紙を行えないようにする。これにより、手差し給紙中に自動給紙を行うおそれをなくし、記録媒体搬送路１６に手差し給紙用の記録媒体と自動給紙用の記録媒体の双方が入り込んでジャムを発生するおそれをなくすことができる。
【００６２】
ところで、図示例では、手差しトレイ３０を格納状態または使用状態に切り換えることによりオンオフする検知スイッチ３７を備える。これにより、その検知スイッチ３７で手差しトレイ３０が格納状態にあるか使用状態にあるかを簡単に判別し、自動給紙と手差し給紙の別をすばやく自動的に検知して必要な制御を行うことができる。
【００６３】
なお、上述した例では、手差しトレイ３０とは別にシャッタ８２を設け、自動給紙時はそのシャッタ８２で手差し給紙路１８を塞ぎ、手差し給紙路１８を通しての記録媒体搬送路１６への記録媒体１２の挿入を阻止した。しかし、シャッタ８２をなくして手差しトレイ８２を格納状態としたときその手差しトレイ８２そのもので手差し給紙路１８を塞ぎ、手差し給紙路１８を通しての記録媒体搬送路１６への記録媒体１２の挿入を阻止するようにしてもよい。
【００６４】
また、開閉ガイド部材２５を第１位置とするとき、その開閉ガイド部材２５で手差し給紙路１８を塞ぎ、手差し給紙路１８を通しての記録媒体搬送路１６への記録媒体１２の挿入を阻止し、シャッタ８２ではなく、第１位置とした開閉ガイド部材２５により、記録媒体搬送路１６中に自動給紙と手差し給紙の記録媒体１２が重複して入り込むおそれをなくすようにしてもよい。
【図面の簡単な説明】
【００６５】
【図１】この発明の一例であるインクジェット型画像記録装置であり、その内部機構の全体概略構成図である。
【図２】そのインクジェット型画像記録装置において、それに備える開閉ガイド部材が第２位置にあるときの給紙路まわりの拡大構成図である。
【図３】そのインクジェット型画像記録装置において、それに備える開閉ガイド部材が第１位置にあるときの給紙路まわりの拡大構成図である。
【図４】そのインクジェット型画像記録装置に備えるシャッタ機構の構成図である。
【図５】インクジェット型画像記録装置において、それに備える手差しトレイが使用状態にあるときの給紙路まわりの拡大構成図である。
【符号の説明】
【００６６】
１０    インクジェットエンジン部（画像記録部）
１２    記録媒体
１４    記録媒体収納部
１６    記録媒体搬送路
１８    手差し給紙路
２５    開閉ガイド部材
３０    手差しトレイ
３７    検知スイッチ
８２    シャッタ
【図１】
2005320147.tif 000003
【図２】
2005320147.tif 000004
【図３】
2005320147.tif 000005
【図４】
2005320147.tif 000006
【図５】
2005320147.tif 000007